(57)【特許請求の範囲】
【請求項１】
水を加熱して蒸気を生成して噴射し得るスチーマーを用意し、頭髪に適量のドライシャンプー剤を塗布するステップと、
前記スチーマーにより、照射される頭髪部分の温度が３０℃〜４５℃であって、３０〜７０ml／分の噴出量の水の液体粒子成分が混在した湿った蒸気を、肩口や顔へ水垂れしない程度に頭髪に噴射するステップと、
残留ドライシャンプー剤および、皮脂などの汚れを拭き取るステップとを含むことを特徴とするドライシャンプー剤を用いる洗髪方法。
【請求項２】
請求項１に於いて、ドライシャンプー剤を塗布するステップの前に、所定量の蒸気を頭髪に噴射するステップを付加したことを特徴とするドライシャンプー剤を用いる洗髪方法。
【発明の詳細な説明】
【技術分野】
【０００１】
本発明は、ドライシャンプー剤を用いる洗髪方法、特に、被介護人に対して行う場合に好適なドライシャンプー剤を用いる洗髪方法に関する。
【背景技術】
【０００２】
従来より、病気や怪我などを理由に入浴できない場合や、洗髪設備を使用した流水による洗髪ができない場合に、水を使用しないドライシャンプー剤を用いる洗髪方法（慣用名：ドライシャンプー）が提案されている。具体的には、エタノールなどのアルコール類と界面活性剤を主成分とした液状のドライシャンプー剤を頭髪に塗布して、頭髪や頭皮に残留したドライシャンプー剤や皮脂などの汚れをタオルなどで拭き取る洗髪方法が提案されている（例えば、特許文献１）。
前記液状のドライシャンプー剤は、液体状態で頭髪に塗布されるが、ドライシャンプー剤をジェル状態にして塗布する場合もある。また、ドライシャンプー剤を泡フォーマーと呼ばれるポリ容器に装填して、泡状にして頭髪へ塗布する場合もある。
【０００３】
また、不織布などの支持体に、エタノールなどのアルコール類と界面活性剤を主成分としたドライシャンプー剤を含有させたシート、すなわちドライシャンプーシートで頭髪や頭皮の汚れを拭き取る洗髪方法が提案されている（例えば、特許文献２）。
このドライシャンプーシートは、被介護人に対して有用であることは勿論、健常人が外出先で洗髪目的として使用する携帯用の洗髪剤としても有用であるとされている。
【先行技術文献】
【特許文献】
【０００４】
【特許文献１】特開平７−１１２９２４
【特許文献２】特開２００１−５５３１９
【発明の概要】
【発明が解決しようとする課題】
【０００５】
前述した洗髪方法では、頭皮への刺激性の配慮などで、ドライシャンプー剤の構成成分に制限があり、その結果、頭髪の汚れや頭皮の皮脂などの汚れの洗浄拭き取り性能が十分とは言い難い状況にある。また、水（温水）での洗い流しをしないため、洗髪後の髪のしなやかさやしっとり感についても十分とは言い難いものである。
【０００６】
このような洗髪方法は、洗髪方法の簡易化を重視されていて、頭髪や頭皮の残留ドライシャンプー剤と汚れを拭き取るだけのステップであるため、洗髪したという感じが少なく、洗髪したことによる満足感が得られにくいものである。
【０００７】
本発明は、係る事由に鑑みてなしたものであって、その目的とするところは、被介護人に対して、頭髪や頭皮の汚れの良好な洗浄が行え、しかも洗髪した満足感が得られるドライシャンプー剤を用いる洗髪方法を提供することにある。
【課題を解決するための手段】
【０００８】
上記目的を達成するための、請求項１記載の本発明のドライシャンプー剤を用いる洗髪方法は、水を加熱して蒸気を生成して噴射し得るスチーマーを用意し、頭髪に適量のドライシャンプー剤を塗布するステップと、前記スチーマーにより、照射される頭髪部分の温度が３０℃〜４５℃であって、３０〜７０ml／分の噴出量の水の液体粒子成分が混在した湿った蒸気を、肩口や顔へ水垂れしない程度に頭髪に噴射するステップと、残留ドライシャンプー剤および、皮脂などの汚れを拭き取るステップとを含むことを特徴とする。
【０００９】
請求項２記載の発明は、請求項１に記載の発明において、ドライシャンプー剤を塗布するステップの前に、所定量の蒸気を頭髪に噴射するステップを付加することである。
【発明の効果】
【００１０】
請求項１記載の本発明に係るドライシャンプー剤を用いる洗髪方法によれば、被介護人に対して、頭髪や頭皮の汚れの良好な洗浄が行え、しかも洗髪した満足感が得られるものである。そして、洗髪に際し毛髪表面の湿りがあって、水垂れの少ない状況を実現することができるとともに、快適な温度条件を実現することができる。請求項２記載の発明によれば、洗髪の洗浄効果を向上させることができる。
【図面の簡単な説明】
【００１１】
【図１】本発明の実施形態を示すスチーマーの外観斜視図である。
【図２】同上のスチーマーの構造図である。
【図３】同上の洗髪方法を示す流れ図である。
【発明を実施するための形態】
【００１２】
以下、本発明の実施形態を図１〜図３に基づいて説明する。
図１および図２は、ドライシャンプー剤を用いる洗髪方法に用いるスチーマーSである。このスチーマーSは、所定量の蒸気を頭髪に噴射するものである。スチーマーSは、水が加熱されて生成される水蒸気を高圧力状態でもって貯留するタンク６を収容したスチーマー外装体１４と、タンク６へ水を補給する給水栓３A、タンク６内の高圧力蒸気を大気へ噴出させる経路として、タンク６内の高圧力蒸気を開放する蒸気開放弁部１１、導管２、蒸気噴出ハンドル１を主要部材としている。
タンク６には水を加熱するヒーター５、水量を検知する液面センサー４が内臓されている。スチーマー外装体１４には、タンク６のほかに、タンク６内の圧力を検知する圧力センサー１３、それぞれの検知状態を電気的信号により集約入力され、インストールされたプログラムに従って電気的出力信号をだすメイン電気回路基板１２が装備されている。スチーマー外装体１４の上側外面には、操作者が装置を操作する、例えば、ヒーター５への通電、通電停止を行うヒータースイッチを備えた操作パネル基板９が配設されている。
【００１３】
給水栓３Aは、ねじの螺合により挿入、取外しが可能であって、蒸気圧力を封止する弁（例えばOリング）を有した封止軸体３Bと、封止軸体３Bのつまみ３とで封止されている。つまみ３を回し、封止軸体３Bを取外して、給水栓３Aから水を給水する。給水量は電気的に接続された液面センサー４、メイン電気回路基板１２を介して操作パネル基板９に規定の水量が入ったことが表示される。なお、仮に、タンク６内に満杯に給水すると、タンク６内に蒸気を生成する層が失われるため、液面センサー４により最多の水量を制限している。つまみ３を回して封止軸体３Bを給水栓３Aへ挿入し、タンク６内を密閉する。操作パネル基板９のヒータースイッチを押すと、メイン電気回路基板１２を介してヒーター５へ通電され、タンク６内の水が加熱される。加熱された水は水蒸気を生成し、タンク６の上層に蒸気圧力を有しながら蓄積される。圧力センサー１３の計測値の蒸気圧力上限設定値（例えば０．１５MPa）に達すると、メイン電気回路基板１２を介してタンクヒーター５への通電を停止し、タンク６内の水の加熱が停止される。蒸気の噴出が行われたり、放置冷却などの時間経過とともに蒸気圧力が低下し、圧力センサー１３の計測値が蒸気圧力下限設定値（例えば０．１３MPa）まで低下すると、再びメイン電気回路基板１２を介してヒーター５へ通電され、水を加熱して蒸気を生成する。タンク６内はこれらを繰り返して蒸気圧力を規定圧力に維持する。
【００１４】
蒸気を開放する蒸気開放弁部１１は、操作者が蒸気の噴出、停止を操作するスイッチ１０の入／切の信号をメイン電気回路基板１２を介して受けて、蒸気を封止、開放することが可能な作動弁を備えた部材であって（例えば電磁弁）、蒸気の噴出を開始、停止する役割を果たす。導管２は耐熱性を有する軟質状の材質（例えばフッ素チューブ）であり、一端が蒸気開放弁部１１に接続されている。導管２のもう一方の端部は、蒸気噴出ハンドル１の先端部にあって、蒸気を大気へ噴出する蒸気噴出口１Aに接続されている。
【００１５】
タンク６の底部には、タンク６内の水を排水、封止する機能をもつバルブ７（例えば、ボールバルブ）が配設されている。スチーマーSの使用が終了した後、タンク６内に残った水は、バルブ７に組み込まれ、バルブ７の開閉を操作する排水レバー７Aを開方向に回して、バルブ７に接続された排水ホース８から排水される。
【００１６】
図３は、本発明に係るドライシャンプー剤を用いる洗髪方法を示す流れ図である。まず、ステップ１として、毛髪のキューティクルと頭皮の膨潤を行う(S1)。ここでは、被介護人Ｐの頭髪全体に前述したスチーマーＳの蒸気を１分間程度照射する。次に、ステップ２として、頭髪に適量のドライシャンプー剤Dを塗布する（S2）。ここではドライシャンプー剤Dを約１０g塗布し、頭髪と頭皮をもみ洗いするようにしながらドライシャンプー剤Dを広げる。次にステップ３として所定量の蒸気を頭髪に噴射する（S3）。ここでは、頭髪全体にスチーマーSの蒸気を２分間程度照射して、皮脂などの汚れ成分を浮かせる。次に、ステップ４として、皮脂などの汚れを拭き取る（S4）。ここでは、頭髪や頭皮の残留ドライシャンプー剤Dと汚れをタオルTで拭き取る。そして、ステップ５として、頭髪を乾燥させる（S5）。ここでは、ヘアードライヤーなどで頭髪を乾燥させる。
【００１７】
ドライシャンプー剤を用いる洗髪方法は、前述したステップ１〜ステップ５が望ましいが、ステップ２〜ステップ４が最も重要である。
以下、確認実験に基づいて更に詳細に説明を加える。
【００１８】
〔確認実験１〕
前述した図１、図２のスチーマーSの構造体において、タンク６内の蒸気圧力上限設定値を０．１５MPa、蒸気圧力下限設定値を０．１３MPaに設定して、導管２の内径を４mmにした場合の構造体を実施例１とした。導管２の内径を２mmにしたものを実施例２とし、導管２の内径を６mmにしたものを実施例３とした。スチームSのその他の主要な条件は以下の通りとした。
・  タンク６内への給水量は、正確に１５００mlとした。
・  ヒーター５は１２００Wとした。
・  導管２の材質は、それぞれフッ素チューブで肉厚１mmのもので長さ２mとした。
・  実施した部屋環境は、２５℃５０％の温湿度条件で行った。
【００１９】
実施例１、実施例２、実施例３のそれぞれの条件でのスチーマーSの構造体で、蒸気噴出量（１分当たりの噴出蒸気量）と蒸気噴出ハンドル１の蒸気噴出口１Aから３０cm位置の蒸気温度を測定した。
上記のそれぞれの条件でのスチーマーSを用いて、被介護人Pの頭髪全体に２分間照射し、以下の方法で、(1)毛髪表面の湿り度と(2)水垂れ度を評価した。
(1)毛髪表面の湿り度評価
毛髪表面の水滴の付着状態を、水滴付着が多い（G5）から水滴が少ない（G1）の５段階でグレード比較評価した。
(2)水垂れ評価
肩口や顔への水垂れ状態を、水垂れ多い（G5）から水垂れが少ない（G1）の５段階でグレード比較評価した。
【００２０】
確認実験１の結果を表１に示す。
【表１】
0006359486.tif 000002
【００２１】
スチーマーSを用いて、ドライシャンプー剤を用いたドライシャンプーを行うことを考察した場合、頭髪の皮脂などの汚れを浮かして拭き取り易くするためには、毛髪表面の湿り度が多い方がよく、また、肩口などへの水垂れは少ない方がよい。
実施例１〜実施例３は、いずれも本発明の目的を達成することができるのであるが、上述の事項を考慮すると、実施例１が最も好ましい条件であるといえる。さらに、実施例１は蒸気温度が３８℃であり、温かさを感じる最適な温度である。
ここで、実施例２では水垂れ度が極めて少なく蒸気温度は低い、実施例３では毛髪表面の湿り度が多くまた、蒸気温度の温かさが増す。スチーマーSの蒸気噴出量により、それぞれ好みに応じたドライシャンプーを行うことができる。
また、本発明の目的を達成するためには、蒸気噴出量は３０〜７０ml／分が望ましい。３０ml／分未満であると、毛髪表面の湿り具合が不足し、７０ml／分を超えると、水垂れ具合が著しくなる。さらに、頭髪部分の温度、すなわちスチーマーSの蒸気噴出口１Aから３０cmの位置での温度は３０℃〜４５℃が望ましい。３０℃未満であると冷たさを感じ、４５℃を超えると熱く感じるようになる。
【００２２】
〔確認実験２〕
前述した確認実験１の実施例１に記載の構造体のスチーマーSを用いて、蒸気噴出の有無に於ける洗浄効果を以下の方法で比較評価した。
グリセリンを基体とした市販の整髪料に、黒色のカーボンを混入して黒い整髪料を試験用として作成した。表面を１０ミクロン程度の深さで細かくディンプル加工して半透明となったPETフィルム上に、SUS棒にワイヤーを巻いた市販のコーティングバーを使用して、試験用として作成した黒色整髪料を０．１mmの厚みで塗布した。
【００２３】
黒色整髪料を塗布したPETフィルムを幅５cm、長さ１５cmの短冊に切って試験片とした。
試験片を木綿の布に挟み、５００ｇの錘を載せて試験片を木綿布から引き抜いた。引き抜く速度は全て同じとした。引き抜いた試験片の透過濃度を測定した。黒色整髪料を塗布していないPETフィルムの透過濃度を１００とした場合の率を、引き抜いた試験片の透過濃度から換算して洗浄力とした。
つまり、洗浄力１００％がPETフィルム単体の透過濃度になったことを示す。
【００２４】
試験片を以下のような条件で洗浄力を評価した。
実施例４：試験片の黒色整髪料の塗布面に、市販のドライシャンプー剤（ビジョン株式会社製  リンスインドライシャンプー）を塗布して、その上方３０cmの距離からスチーマーSの蒸気を２分間噴射。
比較例１：試験片への処理はなし。
比較例２：試験片の黒色整髪料の塗布面に市販のドライシャンプー剤（ビジョン株式会社製  リンスインシャンプー）を塗布して２分間放置。
比較例３：試験片の黒色整髪料の表面に、上方３０cmの距離からスチーマーSの蒸気を２分間噴射。
【００２５】
確認実験２の結果は、表２の通りであった。
【表２】
0006359486.tif 000003
【００２６】
ドライシャンプー剤にスチーマーの蒸気を噴射することで、洗浄力が向上し、殆どの整髪料が取り除かれたことが伺える。これはドライシャンプー剤の作用とともに、蒸気噴射により整髪料成分がPETフィルムから浮き上がったことで、木綿布に拭き取り易くなったと考えられる。
【００２７】
〔確認実験３〕
被験者（被介護人P）５名に対して、下記の２方法でのドライシャンプーを行って、それぞれの項目を評価した。
実施例５：図３の洗髪方法のフローに従って、ドライシャンプーを行った。なお、スチーマーSとドライシャンプー剤の条件は、確認実験２と同じようにスチーマーＳは被験者の頭部上方３０cmの距離から蒸気を２分間噴射し、ドライシャンプー剤はビジョン株式会社製リンスインドライシャンプーを使用した。
比較例４：ドライシャンプー剤（ビジョン株式会社製  リンスインドライシャンプー）約１０gを頭髪に塗布し、手で２分間のもみ洗いを行ってからタオルTで拭き取った。
尚、実施例５は、比較例４を実施した翌日に行った。
それぞれの評価項目で、非常に良い（G1）から非常に悪い（G5）を５名の被験者全員に回答してもらい、その平均値を表３にまとめた。
【００２８】
【表３】
0006359486.tif 000004
【００２９】
前述した確認実験２での洗浄力の評価結果が、ここではさらさら感や艶の項目となって結果に現れていると考えられる。更に、頭髪へ蒸気を噴射することで、蒸気が毛髪内に膨潤してしっとり感として表現されていると考えられる。ここで、重要な項目は、ドライシャンプー剤ではあるが、シャンプーを実施したという満足感が十分に得られていることである。
【符号の説明】
【００３０】
S       スチーマー（蒸気を噴出するスチーマー本体）
１      蒸気噴出ハンドル
１A     蒸気噴出口（蒸気が大気へ噴出する部分）
２      導管（生成した蒸気を、タンク６から蒸気噴出口１Aまでの送管）
３      つまみ
３A     給水栓（水を給水する給水口）
３B     タンク６内を封止する封止軸体
４      液面センサー（タンク６内の水量を検知する）
５      ヒーター（タンク６内の水を加熱して蒸気を生成するヒーター）
６      タンク（加熱された水と生成した蒸気を蓄積するタンク）
７      バルブ（タンク６内の水を排水、停止する弁をもつバルブ）
７A     排水レバー（バルブ７の開閉を操作するレバー）
８      排水ホース
９      操作パネル基板（スチーマーの運転を開始／停止などを操作する基板）
１０    スイッチ（蒸気の噴出を開始／停止するスイッチ）
１１    蒸気開放弁部（蒸気を開放／封止する電気的に作動する弁部
１２    メイン電気回路基板（電気的な入力と出力を制御する基板）
１３    圧力センサー
１４    スチーマー外装体
P       被介護人
D       ドライシャンプー剤
T       タオル
【図１】
0006359486.tif 000005
【図２】
0006359486.tif 000006
【図３】
0006359486.tif 000007